(57)【要約】満足できる洗浄および乾燥速度を提供しつつ、ゼロないし低揮発性を有するガラス用及び一般用洗浄組成物が記載されている。この洗浄組成物は、少なくとも１種の低揮発性非ＶＯＣ蒸発性有機溶媒、少なくとも１種の界面活性剤、水性担体および必要によりひとつ以上の共溶媒を含有する。組成物は、約４重量％未満の揮発性有機溶媒化合物（ＶＯＣ）含量を有する。【特許請求の範囲】
【請求項１】
（ａ）少なくとも１種の低揮発性非ＶＯＣ蒸発性有機溶媒であって、２０％未満に限定された水溶解度を有し、組成物の表面張力を４０ｄｙｎｅ／ｃｍ未満に下げる有効量の溶媒、
（ｂ）少なくとも１種の界面活性剤であって、両性、アニオン性、非イオン性、カチオン性、またはその混合物である有効量の界面活性剤、
（ｃ）必要により、少なくとも１種の（ａ）と異なる共溶媒であって、低揮発性非ＶＯＣ蒸発性有機溶媒である場合、少なくとも前記（ａ）の溶媒と異なる水溶解度または異なる表面張力低下能力を有する有効量の共溶媒、および
（ｄ）水性担体
を含む硬質表面洗浄組成物であって、約４重量％未満の揮発性有機化合物（ＶＯＣ）含量を有する硬質表面洗浄組成物。
【請求項２】
（ａ）０超〜約４重量％の少なくとも１種の低揮発性および／または高揮発性蒸発性有機溶媒であって、２０％未満に限定された水中溶解度を有し、組成物の表面張力を４０ダイン／ｃｍ未満に下げる有機溶媒、
（ｂ）０超〜約５重量％の少なくとも１種の、両性イオン性、アニオン性、非イオン性、カチオン性またはその混合物である界面活性剤、
（ｃ）０〜約３０重量％の、（ａ）と異なる少なくとも１種の共溶媒であって、前記共溶媒が低揮発性非ＶＯＣ溶媒である場合、少なくとも前記（ａ）の溶媒と異なる水溶解度または表面張力低下能力を有する共溶媒、および
（ｄ）バランス量の水性担体
を含む硬質表面洗浄組成物であって、約４重量％未満の揮発性有機化合物（ＶＯＣ）含量を有する組成物。
【請求項３】
前記少なくとも１種の低揮発性非ＶＯＣ蒸発性有機溶媒が、式：
Ｒ1−Ｏ−Ｒ2
（式中、Ｒ1は、必要により、−ＯＨ、−ＯＣＨ3、または−ＯＣＨ2ＣＨ3で置換されていてもよいＣ1−Ｃ8直鎖、分岐鎖または環状アルキルまたはアルケニルであり、Ｒ2は、−ＯＨで置換されたＣ1−Ｃ6直鎖、分岐鎖または環状アルキルまたはアルケニルである）
を有するグリコールエーテルである請求項１または２記載の硬質表面洗浄組成物。
【請求項４】
前記界面活性剤が両性である請求項１〜３のいずれか１つに記載の硬質表面洗浄組成物。
【請求項５】
前記界面活性剤がココアンホジプロピオン酸二ナトリウムである請求項４記載の硬質表面洗浄組成物。
【請求項６】
前記少なくとも１種の低揮発性蒸発性有機溶媒が、エチレングリコールｎ−ヘキシルエーテルである請求項１または２記載の硬質表面洗浄組成物。
【請求項７】
前記少なくとも１種の低揮発性非ＶＯＣ蒸発性有機溶媒がエチレングリコールｎ−ヘキシルエーテルである請求項５記載の硬質表面洗浄組成物。
【請求項８】
前記（ｂ）の少なくとも１種の界面活性剤が、両性イオン性界面活性剤およびアニオン性界面活性剤を含む請求項１〜３のいずれか１つに記載の硬質表面洗浄組成物。
【請求項９】
前記両性イオン性界面活性剤が、ココアンホジプロピオン酸二ナトリウムであり、前記アニオン性界面活性剤が硫酸塩および／またはスルホン酸塩化合物である請求項８記載の硬質表面洗浄組成物。
【請求項１０】
前記少なくとも１種の揮発性蒸発性有機溶媒がエチレングリコールｎ−ヘキシルエーテルである請求項９記載の硬質表面洗浄組成物。
【請求項１１】
前記組成物のｐＨが２またはそれ以上である請求項１または２記載の硬質表面洗浄組成物。
【請求項１２】
前記組成物のｐＨが２〜１３である請求項１または２記載の硬質表面洗浄組成物。
【請求項１３】
前記少なくとも１種の（ｃ）の共溶媒がプロピレングリコールである請求項１〜５のいずれか１つに記載の硬質表面洗浄組成物。
【請求項１４】
前記少なくとも１種の（ｃ）の共溶媒がモノエタノールアミンである請求項１〜５のいずれか１つに記載の硬質表面洗浄組成物。
【請求項１５】
前記少なくとも１種の（ｃ）の共溶媒がイソプロパノールである請求項１〜４および８〜９のいずれか１つに記載の硬質表面洗浄組成物。
【請求項１６】
ポリマーまたはコポリマーをさらに含む請求項１記載の硬質表面洗浄組成物。
【請求項１７】
前記ポリマーまたはコポリマーがアクリルポリマーまたはコポリマーである請求項１６記載の硬質表面洗浄組成物。
【請求項１８】
（ａ）０超〜約４重量％の少なくとも１種の低揮発性および／または高揮発性蒸発性有機溶媒であって、２０％未満に限定された水中溶解度を有し、組成物の表面張力を４０ダイン／ｃｍ未満に下げる有機溶媒、
（ｂ）０超〜約５重量％の少なくとも１種の、両性イオン性、アニオン性、非イオン性、カチオン性またはその混合物である界面活性剤、
（ｃ）０〜約３０重量％の、（ａ）と異なる少なくとも１種の共溶媒であって、前記共溶媒が低揮発性非ＶＯＣ溶媒である場合、少なくとも前記（ａ）の溶媒と異なる水溶解度または異なる表面張力低下能力を有する共溶媒、
（ｄ）ポリマーまたはコポリマー、および
（ｅ）バランス量の水性担体
を含む硬質表面洗浄組成物であって、
約４重量％未満の揮発性有機化合物（ＶＯＣ）含量を有する硬質表面洗浄組成物。
【請求項１９】
前記ポリマーまたはコポリマーがアクリルポリマーまたはコポリマーである請求項１８記載の硬質表面洗浄組成物。
【請求項２０】
前記（ａ）の溶媒がグリコールエーテルであり、前記（ｂ）の少なくとも１種の界面活性剤が、両性イオン性界面活性剤およびアニオン性界面活性剤を含み、前記少なくとも１種の（ｃ）の共溶媒が脂肪族アルコール、グリコールおよびアルカノールアミンを含む請求項１８記載の硬質表面洗浄組成物。
【発明の詳細な説明】
【技術分野】
【０００１】
本発明は、ガラス表面等の硬質表面を洗浄するための組成物に関する。この組成物はゼロないしごく少量のひとつ以上の揮発性有機化合物（ＶＯＣ）を含有する。
【背景技術】
【０００２】
ガラス用及び一般用洗浄組成物は、良好な洗浄力、蒸発性、および縞やヘイズ等がない良好な洗浄特性を有することが望ましい。一般的に、ガラス用及び一般用クリーナーにおいて洗浄および満足できる乾燥速度は、アルコール、高揮発性グリコールエーテル、低揮発性グリコールエーテル、および界面活性剤の組み合わせ方で決まる。通常の処方において使用されているアルコールおよび高揮発性グリコールエーテルは、ＶＯＣに分類されるが、本発明において有用な低揮発性グリコールエーテルおよび界面活性剤は非ＶＯＣに分類される。従って、非ＶＯＣ溶媒は低揮発性非ＶＯＣ溶媒と呼ばれる。今日まで、政府の既存の環境規制は、ガラス用及び一般用クリーナーが最大６％のＶＯＣを処方中に有することを許容しているが、カリフォルニア州の規制が、２００４年１２月３１日以降、かかる処方中最大４％のＶＯＣのみ許容するように変更されたことから明らかなように、著しく低いＶＯＣレベルが望ましい。低またはゼロＶＯＣレベルは環境に良く、また揮発性有機化合物を使用すると費用がかかるので、著しい費用節減効果がある。満足できる洗浄および乾燥速度を保持しつつ、揮発性がないかまたは低揮発性の洗浄組成物を提供することが課題であった。
【発明の開示】
【発明が解決しようとする課題】
【０００３】
従って、本発明の主な目的は、満足できる洗浄および乾燥速度を有しつつ、揮発性有機化合物（ＶＯＣ）含量がゼロないし低いガラス用及び一般用洗浄組成物を提供することである。
【０００４】
本発明のさらに別の主な目的は、０〜少量、すなわち０〜約４重量％のＶＯＣを含有しつつ、縞のつかない（streak-free）洗浄および満足できる乾燥速度特性を提供する洗浄組成物を提供することである。
【０００５】
本発明のさらなる主な目的は、揮発性有機化合物、特にアルコールの非存在下で、満足できる洗浄および乾燥速度を与えるガラス用及び一般用洗浄組成物を提供することである。
【課題を解決するための手段】
【０００６】
本発明のガラス用及び一般用洗浄組成物は、蒸発性溶媒として０超〜約３０重量％の少なくとも１種の低揮発性非ＶＯＣ有機化合物、および０〜約４重量％のひとつ以上のＶＯＣ溶媒を有する。溶媒は、洗浄および満足できる乾燥速度の両方を提供する働きをする。
【０００７】
本発明の洗浄組成物は、水性担体、ひとつ以上の低揮発性非ＶＯＣ有機蒸発性溶媒、ひとつ以上の界面活性剤、必要によりひとつ以上の共溶媒、および必要によりひとつ以上の補助剤、例えば、ｐＨ調節剤、着色剤、香料、凝集剤（coalescent(s)）などを含む。好ましくは、成分として、約０を超え約２０重量％までの範囲のひとつ以上の低揮発性非ＶＯＣ蒸発性溶媒、０超〜約１０重量％のひとつ以上の界面活性剤、約５０〜約９９．９重量％の水性担体、０〜約３０重量％のひとつ以上の共溶媒および、一般的に約０〜約０．５重量％の着色剤、約０〜約１重量％の香料、約０〜約２重量％の造膜助剤、および約２〜約１３の組成物ｐＨを与えるに十分なｐＨ調節剤を含む０〜約５重量％のひとつ以上の補助剤が含まれる。
【０００８】
本発明の洗浄組成物は、一般表面クリーナー、抗菌クリーナー、低ＶＯＣ油性洗浄剤、石けんカス除去剤、フロアクリーナーなどとして有用である。洗浄組成物は、通常の手段、例えば、液体、スプレー、エアゾルまたはジェル形態において、濃縮物またはすぐ使用できる希釈形態のいずれかとして販売することができる。濃縮物として、組成物は使用に際して、例えば、バケツ中で水と混合するか、またはホース末端で混合して、希釈することができる。
【発明を実施するための最良の形態】
【０００９】
本発明のガラス用及び一般用洗浄組成物は、ゼロないし低揮発性を有しており、この組成物は、少なくとも１種の低揮発性非ＶＯＣ蒸発性溶媒、例えば、低揮発性非ＶＯＣグリコールエーテルを、洗浄剤として作用するひとつ以上の界面活性剤、および水性担体および、必要により少なくとも１種の、低揮発性非ＶＯＣ蒸発性溶媒と異なる共溶媒と組み合わせて使用することに基づいている。
【００１０】
本発明において有用な低揮発性非ＶＯＣ蒸発性溶媒は、２０％未満に限定された水溶解度を有し、組成物の表面張力を４０ｄｙｎｅ／ｃｍ未満に下げる。界面活性剤は、好ましくは縞が出にくく（low-streaking）、両性、アニオン性、非イオン性、カチオン性またはその混合物であってもよい。界面活性剤および任意の共溶媒は、洗浄剤として作用することに加えて、組成物中に存在する他の成分の良好な可溶化をもたらす。本発明の洗浄組成物のＶＯＣ含量は、０〜約４重量％、好ましくは、約０〜約１重量％、さらに好ましくは約０重量％〜約０．５重量％、最も好ましくは約０重量％である。
【００１１】
低揮発性非ＶＯＣ蒸発性溶媒は、好ましくは非ＶＯＣグリコールエーテルである。これは縞の出ない洗浄をもたらす。本発明の組成物における使用に好適な非ＶＯＣグリコールエーテルとしては、下記の式：
Ｒ1−Ｏ−Ｒ2
（式中、Ｒ1は、必要によりＯＨ、−ＯＣＨ3、または−ＯＣＨ2ＣＨ3で置換されていてもよいＣ1−Ｃ8直鎖、分岐鎖または環状アルキルまたはアルケニルであり、Ｒ2は、−ＨＯで置換されたＣ1−Ｃ6直鎖、分岐鎖または環状アルキルまたはアルケニルである）を有するものが挙げられる。
【００１２】
好ましくは、Ｒ1は必要により置換されていてもよいＣ3−Ｃ6アルキルまたはアルケニルであり、Ｒ2は一置換Ｃ2−Ｃ4直鎖または分岐鎖アルキルまたはアルケニルである。
【００１３】
さらに好ましくは、Ｒ1は非置換または一置換直鎖または分岐鎖Ｃ3−Ｃ6アルキルであり、Ｒ2は一置換Ｃ2−Ｃ4直鎖または分岐鎖アルキルである。
【００１４】
最も好ましくは、Ｒ1は非置換ｎ−Ｃ3−Ｃ4またはｎ−Ｃ6直鎖アルキルまたは
【００１５】
【化１】
2007532720.tif 000002
であり、Ｒ2は−ＣＨ2ＣＨ2ＯＨまたは
【００１６】
【化２】
2007532720.tif 000003
である。
【００１７】
好適な非ＶＯＣグリコールエーテルとしては、トリプロピレングリコールｎ−プロピルエーテル、エチレングリコールｎ−ヘキシルエーテル、ジエチレングリコールｎ−ヘキシルエーテル、ジプロピレングリコールｎ−ブチルエーテル、トリプロピレングリコールｎ−ブチルエーテルおよびプロピレングリコールフェニルエーテル等が挙げられる。
【００１８】
洗浄組成物中に含めるのに好ましい非ＶＯＣグリコールエーテルは、エチレングリコールｎ−ヘキシルエーテルであり、ヘキシルセロソルブとも言う。
【００１９】
低揮発性非ＶＯＣ蒸発性溶媒としての使用に好適な他の化合物としては、これらに限定されないが、非ＶＯＣグリコールエーテル、エステル、多価アルコール、アミン、または限定された、すなわち、２０％未満の水溶解度を有し、水性組成物の表面張力を４０ｄｙｎｅ／ｃｍ未満に下げる働きをする他の有機化合物が挙げられる。これらの溶媒は一般に、ほとんどの油、グリースおよび汚物の洗浄をもたらす。
【００２０】
使用に好適な非ＶＯＣ蒸発性溶媒のさらなる具体例は：
（１）エステル、例えば、ジエチレングリコールモノブチルエーテルアセテート、（２）多価アルコール、例えば、２−エチル−１，３−ヘキサンジオール（オクタンジオール）、ジエチレングリコール、および（３）限定された、すなわち、２０％未満の水溶解度を有し、水性組成物の表面張力を４０ｄｙｎｅ／ｃｍ未満に下げる働きをするアミン等が挙げられる。
【００２１】
低揮発性非ＶＯＣ蒸発性溶媒の存在量は、好ましくは約０．１〜２０重量％、さらに好ましくは約０．１〜約５重量％、最も好ましくは約０．１〜約１重量％の範囲の量である。
【００２２】
低揮発性非ＶＯＣ蒸発性溶媒以外の他の溶媒を本発明の洗浄組成物中に含有させてもよい。使用に好適な共溶媒としては、非ＶＯＣおよびＶＯＣタイプのグリコールエーテル、脂肪族および多価アルコール、ケトン、酸、およびアミン等が挙げられる。共溶媒は、部分的または完全に水中に可溶性である。かかる共溶媒は、乾燥および適用性を制御する働きをする。これらの共溶媒は、ほとんどの油、グリースおよび汚物のさらなる洗浄をもたらすことができる。共溶媒が低揮発性非ＶＯＣ溶媒である場合、かかる溶媒は、水溶性が異なるか、または低揮発性非ＶＯＣ蒸発性溶媒と比較して表面張力低下能力が異なっている。
【００２３】
使用に好適な前記低揮発性非ＶＯＣ蒸発性グリコールエーテル溶媒と異なる共溶媒の具体例としては：
（１）非ＶＯＣおよびＶＯＣグリコールおよびグリコールエーテル、例えば、トリプロピレングリコールメチルエーテル、ジエチレングリコールｎ−ブチルエーテル、トリエチレングリコールメチルエーテル、トリエチレングリコールエチルエーテル、トリエチレングリコールｎ−ブチルエーテル、エチレングリコールｎ−ブチルエーテル、ジプロピレングリコールメチルエーテル、プロピレングリコールｎ−ブチルエーテル、およびプロピレングリコールｎ−プロピルエーテル、（２）非ＶＯＣおよびＶＯＣエステル、例えば、酢酸メチル、酢酸エチル、ジプロピレングリコールメチルエーテルアセテート、（３）非ＶＯＣおよびＶＯＣ脂肪族および多価アルコール、例えば、イソプロパノール、プロピレングリコール、１，３−ブタンジオール、ヘキシレングリコール、（４）非ＶＯＣおよびＶＯＣケトン、例えば、アセトン、メチルエチルケトン、シクロヘキサノン、ジアセトンアルコール、（５）非ＶＯＣおよびＶＯＣ酸、例えば、酢酸、乳酸、トリフルオロ酢酸、２−エチル酪酸、および（６）非ＶＯＣおよびＶＯＣアミン、例えば、アルカノールアミン、例えば、モノエタノールアミン、ジエタノールアミン、トリエタノールアミン、ｎ−アミルアミン、ジエチルアミ、およびその組み合わせ等が挙げられる。
【００２４】
かかる共溶媒の存在量は、好ましくは洗浄組成物の約０〜約３０重量％、さらに好ましくは約０〜約５重量％、最も好ましくは約０〜約１重量％で存在ある。ＶＯＣ化合物が共溶媒として使用する必要がある場合、かかる化合物の存在量は、組成物が約４重量％未満のＶＯＣ含量を有する様な量である。
【００２５】
洗浄および組成物中に存在する他の成分の可溶化をもたらすために、ひとつ以上の界面活性剤を本発明の組成物中に存在させてもよい。界面活性剤は、両性、アニオン性、非イオン性、カチオン性またはその混合物であってもよい。好ましくは、かかる界面活性剤は、縞の出にくい界面活性化合物から選択される。ひとつ以上の界面活性剤の存在量は、約０〜約１０重量％、さらに好ましくは約０〜約３重量％、最も好ましくは約０〜約０．６重量％の範囲の量である。
【００２６】
使用に好適な両性イオン性界面活性剤は、例えば、ベタイン、アルキルイミダゾリン、ココアンホプロピオネート、またはその組み合わせ等が挙げられる。
【００２７】
好ましい両性イオン性界面活性剤は、ココアンホジプロピオン酸二ナトリウム（ココイミダゾリンカルボキシレートとも言う）、例えば、商品名ＭＡＣＫＡＭ  ２ＣＳＦで販売されているものである。両性イオン性界面活性剤が使用される場合、両性イオン性界面活性剤は、好ましくは、両性化合物のアニオン性部分を活性にするために、アルカリ性条件下で使用される。
【００２８】
使用に好適なアニオン性界面活性剤は、アルキルスルフェート、アルキルベンゼンスルホネート、α−オレフィンスルホネート、アルキルタウレート、アルキルサルコシネート、アルキルジフェニルオキシドジスルホネート、アルキルナフタレンスルホネート、アルキルエーテルスルフェート、アルキルエーテルスルホネート、スルホスクシネート、および洗浄組成物において用いられることが公知である他のアニオン性界面活性剤が挙げられる。界面活性剤は、典型的にはそのアルカリ金属、アルカリ土類金属およびアンモニウム塩として利用可能である。好ましいアニオン性界面活性剤は、直鎖Ｃ8-16アルキルスルフェート、Ｃ8-16アルキルスルホネート、Ｃ8-16アルキルベンゼンスルホネートおよびＣ8-16アルキルジフェニルオキシドジスルホネートである。本発明の組成物における使用に最も好ましいアニオン性界面活性剤は、デシルスルホフェノキシベンゼン／オキシビスデシルベンゼンスルホン酸二ナトリウム塩（例えば、商品名ＤＯＷＦＡＸ  Ｃ１０Ｌ界面活性剤で販売されているもの）、およびオクタンスルホン酸ナトリウム、ドデシルスルホン酸ナトリウム、およびラウリル硫酸ナトリウムである。
【００２９】
洗浄組成物における使用に好適な非イオン性界面活性剤は、アルコキシル化アルコール、アルコキシル化エーテルフェノール、シリコン系化合物、例えば、シリコングリコールコポリマー、および半極性非イオン体、例えば、トリアルキルアミンオキシドが挙げられる。好ましい非イオン体は、エトキシル化（ＥＯ）および／またはプロポキシル化（ＰＯ）アルコール、例えば、アルコール１モルあたり約２〜１０モルのＥＯまたはＰＯ、あるいは１〜１０モルのＥＯおよび１〜１０モルのＰＯを有するＥＯおよび／またはＰＯ  Ｃ6-16アルコール、あるいはＥＯ、ＰＯおよびＥＯ／ＰＯアルキルフェノールである。
【００３０】
また、カチオン性界面活性剤、例えば４級アンモニウム化合物を洗浄性及び適切に選択した抗菌／殺菌特性の両方のために、含有物として使用することができる。有用なカチオン性界面活性剤の例としては、Ｎ−アルキルトリメチルアンモニウムクロリド、およびジメチルジココ第四アンモニウムクロリドが挙げられる。
【００３１】
水性担体は水であって、好ましくは約３０〜約９９．５重量％、さらに好ましくは約９０〜約９９．５重量％、最も好ましくは約９５〜約９９．５重量％の水である。
【００３２】
本発明のゼロないし低ＶＯＣガラス用または一般用クリーナー中に存在させると有益な追加の成分は、ポリマーまたはコポリマー、とりわけアクリルポリマーまたはコポリマーである。本発明の処方におけるアクリル（コ）ポリマーの存在は、アクリル（コ）ポリマーを含有する本発明の処方で洗浄された表面に対してウォーターシーティング特性を与えることが判明している。使用に好適なアクリルコポリマーの一例は、Ｃｏｇｎｉｓ  Ｃｏｒｐｏｒａｔｉｏｎにより販売されているＰＯＬＹＱＵＡＲＴ  ＡＭＰＨＯ  １４９である。ＰＯＬＹＱＵＡＲＴ  ＡＭＰＨＯ  １４９（ＣＡＳＲ−Ｎｏ．１９２００３−７４−０）はポリマーの２−プロペン酸エチルおよびＮ，Ｎ，Ｎ−トリメチル−３−（（２−メチル−１−オキソ−２−プロペニル）アミノ）−１−プロパナミニウムクロリドとのナトリウム塩である。
【００３３】
洗浄組成物の洗浄および／または美的品質を向上させるために、ひとつ以上の補助剤が存在させてもよい。好適な補助剤は、洗浄組成物における使用が公知の、ｐＨ調節剤、ヒドロトロープ、香料、染料または着色剤、保存料、抗菌剤、増粘剤などが挙げられる。補助剤は、一般的には少量で、例えば、約５重量％以下で存在する。ｐＨを調節するための好適な試薬としは、慣用の酸、塩基、およびその塩、例えば、Ｃ2-4アルカノールアミン、アンモニア、アルカリ金属水酸化物、珪酸塩、ホウ酸塩、炭酸塩、重炭酸塩、クエン酸塩、クエン酸、またはその混合物等が挙げられる。
【００３４】
ｐＨ調節剤の好ましい例は、水酸化アンモニウムおよびモノエタノールアミン等が挙げられる。モノエタノールアミンも洗浄をもたらすことができる。本発明の洗浄組成物は、好ましくは２以上の範囲、さらに好ましくは約９〜約１３の範囲、最も好ましくは約１０〜約１１．５のｐＨを有する。ｐＨ調節剤は、所望のｐＨに到達するために適当な量で添加される。
【００３５】
以下の実施例は、本発明のガラス及び一般用洗浄組成物を説明するためのものである。
【実施例１】
【００３６】
【表１】
2007532720.tif 000004
【実施例２】
【００３７】
【表２】
2007532720.tif 000005
【実施例３】
【００３８】
【表３】
2007532720.tif 000006
【実施例４】
【００３９】
【表４】
2007532720.tif 000007
【実施例５】
【００４０】
【表５】
2007532720.tif 000008
【実施例６】
【００４１】
【表６】
2007532720.tif 000009
【実施例７】
【００４２】
【表７】
2007532720.tif 000010
【００４３】
当業者には明らかなように、前記事項の範囲内で様々な変更を行うことができる。当業者に可能なこのような変更は本発明の構成要素となり、添付の請求の範囲に包含される。
【国際調査報告】
2007532720.tif 000011
2007532720.tif 000012
2007532720.tif 000013
2007532720.tif 000014